(57)【特許請求の範囲】
【請求項１】
収納口を介して遊技機構成物を収納位置に取出し可能に収納し得るよう構成された遊技機構成物の収納装置であって、
前記遊技機構成物の収納および取出しに際して該遊技機構成物の上端部または下端部を案内するガイド部を備えると共に、前記収納位置にある前記遊技機構成物の取出しを規制する取出し規制位置および該遊技機構成物の取出しを許容する取出し許容位置に変位可能に構成された規制部材が、該取出し規制位置へ向けて付勢された状態で前記収納口に設けられ、
前記規制部材には、
前記取出し規制位置にある状態で、収納時に前記遊技機構成物が移動する移動領域内側へ突出するように前記収納口から前記収納位置へ向かうにつれて傾斜すると共に、収納口を介して収納される前記遊技機構成物が当接する作動面と、
前記ガイド部に対して遊技機構成物の移動方向に交差する方向へ突出し、前記取出し規制位置から取出し許容位置へ強制的に変位させる操作部とが設けられ、
前記遊技機構成物を収納する際に該遊技機構成物が前記規制部材の作動面を押圧することで、該規制部材が取出し規制位置から取出し許容位置へ変位されて、遊技機構成物が前記収納位置に収納されるのに伴い規制部材が取出し規制位置に復帰し、前記操作部の操作により規制部材を取出し許容位置に強制的に変位させることで、遊技機構成物を収納位置から取出し得るよう構成され、
前記ガイド部に規制溝が形成されて、前記取出し許容位置に変位した前記規制部材の操作部が規制溝に当接することで、当該規制部材が取出し許容位置に位置規制されるよう構成された
ことを特徴とする遊技機構成物の収納装置。
【請求項２】
前記規制部材は、遊技機構成物の移動方向に直交する方向に延在する回転軸を介して回動可能に軸支されて、前記取出し規制位置から取出し許容位置に変位する際に、前記作動面が水平に延在するよう回転して、該作動面上を遊技機構成物が摺動するよう構成されると共に、該取出し許容位置において重心が回転軸から偏倚することで規制部材が前記取出し規制位置へ付勢されるよう構成され、側端面において回転軸から偏倚した位置に前記操作部が設けられた請求項１記載の遊技機構成物の収納装置。
【請求項３】
前記ガイド部は、前記遊技機構成物の下端部を案内する下ガイド部と、該遊技機構成物の上端部を案内する上ガイド部とを備え、
前記上ガイド部または下ガイド部の何れかに、複数の案内ローラが前記遊技機構成物の移動方向に並設され、
前記規制部材を取出し許容位置に変位させた状態で、前記複数の案内ローラで構成される前記遊技機構成物の案内面と、該規制部材の作動面とが略同一面に位置するよう構成された請求項２記載の遊技機構成物の収納装置。
【請求項４】
前記ガイド部は、表面からの遊技部品の突出寸法より裏面からの遊技部品の突出寸法が大きくなるよう構成された遊技機構成物の上端部または下端部を、当該端部の延在方向に案内するよう形成され、
前記遊技機構成物の移動方向に直交する方向に離間して前記収納口が位置するよう前記ガイド部が並列に設けられると共に、収納位置において遊技機構成物を裏面同士が対向する向きで収納し得るようガイド部が配置され、
前記各ガイド部において遊技機構成物の表面が向く方向に前記操作部が突出するよう構成された請求項１または２記載の遊技機構成物の収納装置。
【請求項５】
前記規制部材の側方には、前記取出し許容位置に変位させた状態で前記作動面より上方へ延出する誘導部が設けられ、該誘導部に沿って前記遊技機構成物が誘導される請求項１〜４の何れか一項に記載の遊技機構成物の収納装置。
【発明の詳細な説明】
【技術分野】
【０００１】
本発明は、遊技機構成物を取出し可能に収納する収納装置に関するものである。
【背景技術】
【０００２】
パチンコ機に用いられる遊技盤は、ベニヤ等の板材の表面にパチンコ機のモチーフに合わせた図柄等が描かれたセルシートが貼付されると共に、該遊技盤に遊技釘や、案内レール等が配設されている。このような遊技釘を植設した段階の遊技盤では、製造過程において相互に積み重ねることで、少ないスペースにより多くの遊技盤を保管し得るようになっている。例えば、特許文献１では、一部の重要位置に配設される障害釘の遊技盤からの突出寸法を他の障害釘の突出寸法より小さく設定して突出寸法の小さな障害釘に負荷が掛からないよう構成することで、遊技盤を横置きした状態で積み重ねている。特許文献２では、遊技盤に打ち込まれた障害釘の突出寸法より長く形成された支持脚を遊技盤の裏面の四隅に可倒自在に設け、起立させた支持脚で遊技盤を支持するよう構成することで、上段の遊技盤の裏面に障害釘が当接しないように横置きした状態の遊技盤を積み重ねている。
【０００３】
また、図柄表示装置や各種制御装置等の遊技部品が裏面に取付けられた遊技盤を保管する際には、そのまま遊技盤を積み重ねると、遊技釘に配線が引っ掛かったり、遊技釘が遊技部品に接触して損傷する原因になることから、横置きした遊技盤を一定の間隔をあけて収納する台車が利用されている。このような台車は、遊技盤の両側部を支持する一対のガイドレールを備えており、裏面より平滑で支持し易い盤面を下向きにした遊技盤を下方から支持するようになっている。
【先行技術文献】
【特許文献】
【０００４】
【特許文献１】特開２００２−１９１７７７号公報
【特許文献２】特開２００８−２１５号公報
【発明の概要】
【発明が解決しようとする課題】
【０００５】
しかし、一対のガイドレール間に遊技盤を支持した台車では、台車を動かした際の振動等により、遊技盤がガイドレール上を横滑りすると、場合によっては遊技盤が台車から脱落する虞がある。そこで、ガイドレールに、支持した遊技盤の横滑りを規制する突起を設けることが考えられるが、この場合にはガイドレールに遊技盤を支持する際および取出す際に突起が邪魔となり、作業性が低下する問題を招く。
【０００６】
また、盤面が下向きとなるよう遊技盤を横置きして収納する台車では、台車を動かした際の振動等により、遊技盤がガイドレール上を横滑りすると、ガイドレールと盤面との摺れに起因して遊技盤が傷付く虞がある。しかも、ガイドレールが当接する盤面に荷重が掛かるため、盤面に圧痕等の傷が付き易い。更に、盤面を下向きにして遊技盤が収納されるため、収納されている遊技盤の種類(機種)を確認する際には、その都度遊技盤を台車から取出さなくてはならず手間が掛かる。
【０００７】
すなわち本発明は、従来の技術に内在する前記問題に鑑み、これらを好適に解決するべく提案されたものであって、遊技機構成物の脱落を防止し得ると共に収納および取出し作業が容易な収納装置を提供することを目的とする。
【課題を解決するための手段】
【０００８】
前記課題を克服し、所期の目的を達成するため、本願請求項１に係る発明は、
収納口(34)を介して遊技機構成物(10)を収納位置に取出し可能に収納し得るよう構成された遊技機構成物の収納装置であって、
前記遊技機構成物(10)の収納および取出しに際して該遊技機構成物(10)の上端部または下端部を案内するガイド部(30,32)を備えると共に、前記収納位置にある前記遊技機構成物(10)の取出しを規制する取出し規制位置および該遊技機構成物(10)の取出しを許容する取出し許容位置に変位可能に構成された規制部材(46)が、該取出し規制位置へ向けて付勢された状態で前記収納口(34)に設けられ、
前記規制部材(46)には、
前記取出し規制位置にある状態で、収納時に前記遊技機構成物(10)が移動する移動領域内側へ突出するように前記収納口(34)から前記収納位置へ向かうにつれて傾斜すると共に、収納口(34)を介して収納される前記遊技機構成物(10)が当接する作動面(52)と、
前記ガイド部(30,32)に対して遊技機構成物(10)の移動方向に交差する方向へ突出し、前記取出し規制位置から取出し許容位置へ強制的に変位させる操作部(56)とが設けられ、
前記遊技機構成物(10)を収納する際に該遊技機構成物(10)が前記規制部材(46)の作動面(52)を押圧することで、該規制部材(46)が取出し規制位置から取出し許容位置へ変位されて、遊技機構成物(10)が前記収納位置に収納されるのに伴い規制部材(46)が取出し規制位置に復帰し、前記操作部(56)の操作により規制部材(46)を取出し許容位置に強制的に変位させることで、遊技機構成物(10)を収納位置から取出し得るよう構成され、
前記ガイド部(30,32)に規制溝(38c)が形成されて、前記取出し許容位置に変位した前記規制部材(46)の操作部(56)が規制溝(38c)に当接することで、当該規制部材(46)が取出し許容位置に位置規制されるよう構成されたことを要旨とする。
【０００９】
このように、遊技機構成物を収納する際に、遊技機構成物が規制部材の作動面を押圧することで、規制部材が取出し規制位置から取出し許容位置へ変位するから、遊技機構成物を収納口から収納位置へ移動させるだけで、遊技機構成物を収納することができる。また、規制部材が取出し規制位置へ向けて付勢されているため、遊技機構成物が収納位置に収納されるのに伴って規制部材が取出し規制位置に復帰するから、遊技機構成物を収納位置に収納するだけで遊技機構成物を収納位置に保持することができる。そして、取出し規制位置から取出し許容位置へ強制的に変位させる操作部を規制部材に設けたから、操作部を操作するだけで遊技機構成物を収納位置から取出すことが可能となる。
【００１０】
請求項２に係る発明は、前記規制部材(46)は、遊技機構成物(10)の移動方向に直交する方向に延在する回転軸(48)を介して回動可能に軸支されて、前記取出し規制位置から取出し許容位置に変位する際に、前記作動面(52)が水平に延在するよう回転して、該作動面(52)上を遊技機構成物(10)が摺動するよう構成されると共に、該取出し許容位置において重心が回転軸(48)から偏倚することで規制部材(46)が前記取出し規制位置へ付勢されるよう構成され、側端面において回転軸(48)から偏倚した位置に前記操作部(56)が設けられたことを要旨とする。
このように、規制部材が取出し許容位置に変位した際に、水平に延在する作動面上を遊技機構成物が摺動するよう構成したから、取出し規制位置において遊技機構成物に押圧された作動面が、取出し許容位置に変位した際には移動する遊技機構成物を摺動させる面として機能させることができる。すなわち、遊技機構成物に押圧された作動面を、そのまま遊技機構成物の摺動する面としたから、遊技機構成物をスムーズに移動させることができる。また、規制部材が遊技機構成物の移動方向に直交する方向に延在する回転軸を介して回動可能に軸支されると共に、取出し許容位置において重心が該回転軸から偏倚して位置することで規制部材が取出し規制位置へ付勢されるよう構成したため、規制部材が自重によって取出し規制位置に復帰するから、複雑な機構を備えることなく規制部材を簡単な構成とすることができる。
【００１１】
請求項３に係る発明は、前記ガイド部(30,32)は、前記遊技機構成物(10)の下端部を案内する下ガイド部(30)と、該遊技機構成物(10)の上端部を案内する上ガイド部(32)とを備え、
前記上ガイド部(32)または下ガイド部(30)の何れかに、複数の案内ローラ(42)が前記遊技機構成物(10)の移動方向に並設され、
前記規制部材(46)を取出し許容位置に変位させた状態で、前記複数の案内ローラ(42)で構成される前記遊技機構成物(10)の案内面(44)と、該規制部材(46)の作動面(52)とが略同一面に位置するよう構成されたことを要旨とする。
このように、遊技機構成物の下端部を案内する下ガイド部と、遊技機構成物の上端部を案内する上ガイド部とを備えているから、遊技機構成物を下ガイド部および上ガイド部に沿って移動させることで、遊技機構成物を収納位置へ確実に収納することができる。また、遊技機構成物を収納または取出す際に上ガイド部または下ガイド部の何れかに並設された複数の案内ローラが転動して案内することで、遊技機構成物をスムーズに移動させることができ、遊技機構成物の傷つきをより確実に防止できる。更に、複数の案内ローラで構成される遊技機構成物の案内面と、取出し許容位置における規制部材の作動面とが略同一面に位置するため、遊技機構成物を収納または取出す際に、規制部材の作動面と案内ローラとの間で遊技機構成物を円滑に移動させることができる。更にまた、遊技機構成物の上下をガイド部で案内して収納位置に収納するよう構成したので、遊技機構成物が遊技盤の場合では収納状態において盤面の確認を簡単に行ない得る。
【００１２】
請求項４に係る発明は、前記ガイド部(30,32)は、表面からの遊技部品(16)の突出寸法より裏面からの遊技部品(18)の突出寸法が大きくなるよう構成された遊技機構成物(10)の上端部または下端部を、当該端部の延在方向に案内するよう形成され、
前記遊技機構成物(10)の移動方向に直交する方向に離間して前記収納口(34)が位置するよう複数のガイド部(30,32)が並列に設けられると共に、収納位置において遊技機構成物(10)を裏面同士が対向する向きで収納し得るようガイド部(30,32)が配置され、
前記各ガイド部(30,32)において遊技機構成物(10)の表面が向く方向に前記操作部(56)が突出するよう構成されたことを要旨とする。
【００１３】
請求項５に係る発明は、前記規制部材(46)の側方には、前記取出し許容位置に変位させた状態で前記作動面(52)より上方へ延出する誘導部(58)が設けられ、該誘導部(58)に沿って前記遊技機構成物(10)が誘導されることを要旨とする。
このように、取出し許容位置に変位させた状態で作動面より上方へ延出する誘導部が規制部材の側方に設けられているため、遊技機構成物を収納する際に遊技機構成物を誘導部に当接させて案内することができ、収納作業性が良い。また、遊技機構成物を取出す際にも、遊技機構成物を誘導部に当接させて案内することができるから、遊技機構成物を安定した状態で取出すことができる。
【発明の効果】
【００１４】
本発明に係る遊技機構成物の収納装置によれば、遊技機構成物を収納位置に簡単に収納することができる。また、収納位置に収納した遊技機構成物が脱落するのを規制部材で確実に防止し得る。しかも、規制部材による規制を解除するだけで、収納位置から遊技機構成物を容易に取出すことができる。
【図面の簡単な説明】
【００１５】
【図１】本発明の好適な実施例に係る遊技機構成物の収納装置を示す概略斜視図である。
【図２】実施例に係る収納装置を示す要部正面図である。
【図３】実施例に係る収納装置の下ガイド部および取出し規制位置の規制部材を示す要部概略斜視図である。
【図４】実施例に係る収納装置の下ガイド部および取出し規制位置の規制部材を示す要部平面図である。
【図５】実施例に係る収納装置の下ガイド部および取出し規制位置の規制部材を示す要部正面図である。
【図６】実施例に係る収納装置の上ガイド部を上下反転して示す要部概略斜視図である。
【図７】実施例に係る収納装置に遊技盤を収納する状態を示す工程図であって、(ａ)は遊技盤が取出し規制位置の規制部材の作動面に当接した状態を示し、(ｂ)は取出し許容位置に変位した規制部材の作動面上を遊技盤が摺動する状態を示す。
【図８】実施例に係る収納装置に遊技盤を収納する際の規制部材の動作を示すものであって、(ａ)は遊技盤が取出し規制位置の規制部材の作動面に当接した状態を示し、(ｂ)は遊技盤で押圧されることで規制部材が取出し許容位置に変位した状態を示し、(ｃ)は遊技盤が規制部材から離間することで規制部材が取出し規制位置に復帰した状態を示す。
【発明を実施するための形態】
【００１６】
次に、本発明に係る遊技機構成物の収納装置につき、好適な実施例を挙げて、添付図面を参照しながら以下詳細に説明する。なお、実施例では、遊技機構成物として、パチンコ球を用いて遊技を行なうパチンコ機(遊技機)を構成する遊技盤１０を例に挙げて説明する。
【実施例】
【００１７】
図１は、実施例に係る収納装置１２を示すものであって、該収納装置１２の説明に先立ち、収納装置１２に収納される遊技盤１０の構成を簡単に説明する。遊技盤１０は、図１、図２、図７に示す如く、アクリルやポリカーボネート等の光透過性の合成樹脂材、あるいは木製合板等からなる平板状の板部材１４を基本として、該板部材１４の表側に、案内レール、枠状装飾体(所謂センター役物)、遊技釘、その他各種の表遊技部品１６が配設される。また、板部材１４の裏側に、設置部材、可動演出装置、発光装置、図柄表示装置、制御基板、その他各種の裏遊技部品１８が配設されている。実施例の遊技盤１０は、板部材１４の表裏に遊技部品１６,１８が配設された状態を指している。また遊技盤１０における上端部および下端部の厚み寸法とは、板部材１４の裏面から該板部材１４の表面に配設された表遊技部品１６の表面までの寸法を意味する。具体的には、板部材１４の表面における上端部および下端部には、板部材１４の表面に画成される遊技領域の外側に位置するように表遊技部品１６としての盤面飾り部材が配設されており、該盤面飾り部材の表面から板部材１４の裏面までの寸法を、遊技盤１０の上端部および下端部の厚み寸法としている。なお、遊技盤１０において板部材１４の表面からの表遊技部品１６の突出寸法より、板部材１４の裏面から裏遊技部品１８の突出寸法が大きくなっている。また遊技盤１０について、板部材１４の表面および裏面が上下方向に延在する立った姿勢を起立姿勢という。
【００１８】
実施例に係る収納装置１２は、図１に示すように、複数の縦材２０および横材２２を相互に組付けて箱枠状の本体２４が形成されて、収納装置１２は、本体２４の下面に配設した複数のキャスター２６によって移動自在に構成される。本体２４の前側に位置して左右方向に離間する２本の縦材２０,２０間および本体２４の後側に位置して左右方向に離間する２本の縦材２０,２０間の夫々に、４本の横材２２が上下方向に離間して平行に架設され、これにより本体２４内に、上下３段で前後に開口する収納空間Ｓが画成される。また、本体２４の左右側部を構成する前後に離間する縦材２０,２０間には、前後に配設した各横材２２と略同一水平位置に横材２２が夫々架設されている。なお、本体２４の左右側部に配設された所要位置の横材２２に、収納装置１２を移動する際に作業者が把持して取り扱い易くする取手２８が配設される。また、本体２４における最上段の収納空間Ｓに対応する左右側部に、当該収納装置１２に収納される遊技盤１０の機種名や型式等の種類を表示した表示標識(図示せず)を貼付可能な表示板２９が夫々配設されている。
【００１９】
図２に示す如く、前記本体２４における各収納空間Ｓの下側を画成する前後に対向する一対の横材２２,２２の上面に、左右方向に離間して複数の下ガイド部３０が架設されると共に、該収納空間Ｓの上側を画成する前後に対向する一対の横材２２,２２の下面に、各下ガイド部３０と上下で対向して上ガイド部３２が夫々が架設されている。そして、上下で対向する上ガイド部３２と下ガイド部３０との間には、本体２４の前面および後面において前後方向に開口する収納口３４が夫々画成され、該収納口３４を介して起立姿勢の遊技盤１０を収納空間Ｓ内の収納位置(後述)に対して本体２４の前後何れの側からも出し入れし得るよう構成される。そして、遊技盤１０の収納位置への収納および収納位置からの取出しに際し、該遊技盤１０の上端部および下端部を対応する上ガイド部３２および下ガイド部３０で夫々案内するようになっている。実施例では、上下で対をなす上ガイド部３２と下ガイド部３０とで、遊技盤１０を案内および保持するための収納組３６が構成され、該収納組３６が各収納空間Ｓにおいて５組ずつ配設される。なお、収納組３６の基本的な構成は同一である。
【００２０】
実施例の収納装置１２では、各収納組３６の左右方向の離間間隔は、各収納組３６に遊技盤１０を、その表裏が本体２４の左右方向を向く起立姿勢で収納した状態で、左右方向で対向する遊技盤１０,１０の遊技部品１６,１８が相互に接触干渉しない寸法に設定される。また実施例では、図２に示す如く、左側から２つ目の収納組３６と３つ目の収納組３６との離間間隔を、両収納組３６,３６に対して遊技盤１０,１０を裏面を対向する向きで収納した際に裏遊技部品同士が接触干渉しない寸法に設定してあるのに対し、その他の収納組３６,３６間の離間間隔は、遊技盤１０の異なる面が対向する向きで収納した際に対向する表遊技部品１６と裏遊技部品１８とが接触干渉しない寸法に設定してある。すなわち、左側の２つの収納組３６に対しては、遊技盤１０を、裏面が右方(本体２４の内側)に向けた姿勢で収納すると共に、右側の３つの収納組３６に対しては、遊技盤１０を、裏面を左方(本体２４の内側)に向けた姿勢で収納するように、各収納組３６の離間間隔が設定されている。
【００２１】
前記下ガイド部３０は、図３〜図５に示す如く、前後の横材２２,２２間に左右方向に離間して平行に配設された一対の下レール３８,３８から構成される。下レール３８は、長尺板材をＬ字状に折曲形成したものであって、一対の下レール３８,３８は、垂直辺３８ａ,３８ａを前後の横材２２,２２から上方(収納空間側)に向けて延在させると共に左右方向に対向した姿勢で、相互に離間する方向に延在する水平辺３８ｂ,３８ｂが前後の横材２２,２２にネジ止め固定されている。そして、下ガイド部３０を前後の横材２２,２２間に架設した状態で、一対の垂直辺３８ａ,３８ａ間は、上方および前後方向に開口している。また、前記上ガイド部３２は、図６に示す如く、前後の横材２２,２２間に左右方向に離間して平行に配設された一対の上レール４０,４０から構成される。上レール４０は、長尺板材をＬ字状に折曲形成したものであって、一対の上レール４０,４０は、前後方向に延在する案内板としての垂直辺４０ａ,４０ａを前後の横材２２,２２から下方(収納空間側)に向けて延出させると共に左右方向に対向した姿勢で、相互に離間する方向に延在する水平辺４０ｂ,４０ｂが前後の横材２２,２２にネジ止め固定されている。そして、上ガイド部３２を前後の横材２２,２２間に架設した状態で、一対の垂直辺４０ａ,４０ａ間は、下方および前後方向に開口している。すなわち、上下で対向する４つの垂直辺３８ａ,３８ａ,４０ａ,４０ａによって、本体２４の前後面に、前後に開口する前記収納口３４が夫々画成されると共に、前後の収納口間に、該収納口３４から挿入された遊技盤１０を収納保持する収納位置が設けられる。実施例では、各収納組３６の前後寸法は、収納位置に複数の遊技盤１０を前後方向に並列に収納可能な長さに設定される。
【００２２】
図６に示す如く、両上レール４０,４０の対向する垂直辺４０ａ,４０ａにおける前後両端部に、外方へ向けて拡開するよう傾斜案内部４０ｃ,４０ｃが形成され、前後の各収納口３４の間口を外方に向けて広げることで、遊技盤１０における上端部の収納口３４への導入を容易になし得るよう構成される。また、上ガイド部３２における対向する垂直辺４０ａ,４０ａの平行部分の離間間隔は、遊技盤１０の上端部の厚み寸法より僅かに大きく設定され、収納位置に対する遊技盤１０の出し入れに際し、両垂直辺４０ａ,４０ａの間に臨む遊技盤１０の上端部を、左右方向に大きく傾くことなく摺動案内し得るようになっている。
【００２３】
前記下ガイド部３０には、図１および図７に示す如く、複数の案内ローラ４２が前後方向(遊技盤１０の移動方向)に並設されている。案内ローラ４２は、図３および図４に示す如く、等径円柱状の胴部４２ａと、該胴部４２ａの軸方向両端に形成されて径方向の外側に延出するフランジ４２ｂ,４２ｂとからなるフランジ付きローラであって、前記下レール３８,３８における対向する垂直辺３８ａ,３８ａ間に回転自在に軸支されている。案内ローラ４２における胴部４２ａの軸方向の寸法(左右方向の幅寸法)は、前記遊技盤１０の下端部の厚み寸法と略同一か僅かに大きく設定されて、該胴部４２ａに下端部が載置された遊技盤１０の左右方向への変位をフランジ４２ｂ,４２ｂで規制し得るよう構成される。なお、フランジ４２ｂにおける胴部側を向く内面は、胴部４２ａから離間するにつれて径方向外方に変位するように傾斜し、遊技盤１０の下端部がフランジ４２ｂの内面に乗り上げても該内面の傾斜によって遊技盤１０の下端部を胴部４２ａに向けて移動させ得るようになっている。また、複数の案内ローラ４２における胴部４２ａの上端は、略同一水平面に位置して、これら複数の案内ローラ４２で略水平な案内面４４を形成している(図７,図８参照)。案内面４４の位置は、該案内面４４に起立姿勢の遊技盤１０の下端部を載置した状態で、該遊技盤１０の上端部が、前記上ガイド部３２における対向する垂直辺４０ａ,４０ａの間に臨んで該垂直辺４０ａ,４０ａで支持されるように設定される。
【００２４】
前記下ガイド部３０における前後端部(前後の収納口３４)に、遊技盤１０の収納位置への収納および収納位置からの遊技盤１０の取出しを許容する取出し許容位置と、収納位置からの遊技盤１０の取出しを規制する取出し規制位置との間を変位可能な規制部材４６が、前後対称の関係で配設されている。各規制部材４６は、図３〜図５に示す如く、左右方向(遊技盤１０の移動方向に直交する方向)に延在する回転軸４８を介して前記垂直辺３８ａ,３８ａ間に回動可能に軸支される。規制部材４６に対する回転軸４８の軸支位置は、該規制部材４６の重心位置から偏倚するよう設定され、実施例では規制部材４６の取出し許容位置において重心は、該規制部材４６が自重によって取出し規制位置へ付勢されるよう設定される。すなわち、取出し許容位置の規制部材４６に対して取出し許容位置に保持する力を解除することで、規制部材４６は自重によって取出し規制位置に自動で変位するよう構成される(図８(ｂ),(ｃ)参照)。
【００２５】
前記規制部材４６は、前記回転軸４８が軸支されるブロック状の本体部５０と、該本体部５０の表面に設けられて上方を向く平滑な作動面５２とを備え、本体部５０における軸支位置から偏倚した位置に錘５４を埋め込むことによって、重心位置を前述した関係に設定してある。規制部材４６の取出し規制位置では、図３および図８(ａ)に示す如く、本体部５０における収納位置から離間する外側の端部(以後、第１規制端部５０ａという)が前記横材２２の上面に当接して、該本体部５０および作動面５２における収納位置側の端部(以後、本体部５０の収納位置側の端部を第２規制端部５０ｂという)が複数の案内ローラ４２で形成される案内面４４より上方(収納時に遊技盤１０が移動する移動領域内側)へ突出する状態に保持される。また、取出し規制位置において作動面５２は、図８(ａ)に示す如く、前記収納口３４から収納位置へ向かうにつれて上方傾斜し、遊技盤１０を収納する際に該遊技盤１０が作動面５２を押圧することで、規制部材４６が取出し規制位置から取出し許容位置へ変位されるよう構成される。この取出し許容位置において、図８(ｂ)に示す如く、作動面５２は略水平に延在すると共に前記案内面４４と略同一面に位置するよう構成され、該作動面５２上を遊技盤１０の下端部が摺動して収納位置への遊技盤１０の収納を許容するよう構成される。また、作動面５２の左右方向の幅寸法は、遊技盤１０における前記板部材１４の厚み寸法より大きく、実施例では遊技盤１０の下端部の厚み寸法と略同一に設定される。なお、取出し規制位置において本体部５０の第２規制端部５０ｂにおける収納位置を向く面は略垂直に延在し、収納位置から収納口側に移動する遊技盤１０が該第２規制端部５０ｂに当接した際の力は、規制部材４６の第１規制端部５０ａを横材２２に押付ける方向に作用し、該規制部材４６が取出し許容位置に変位しないよう構成される。
【００２６】
前記規制部材４６には、図３および図５に示す如く、取出し規制位置において本体部５０における案内面４４から突出する部分に、側方に突出する操作部５６が設けられる。そして、該操作部５６を下側に移動することで、規制部材４６を取出し規制位置から取出し許容位置に強制的に変位させることができるようになっている。また、前記下ガイド部３０における操作部５６の突出側に対応する下レール３８の垂直辺３８ａに、上方に開口する規制溝３８ｃが形成され、取出し規制位置から取出し許容位置に向けて規制部材４６が回動する際に、該規制溝３８ｃに操作部５６が挿入され、該操作部５６が規制溝３８ｃの底部に当接することで、規制部材４６は、前記作動面５２が略水平となる取出し許容位置に位置規制されるよう構成される。なお、実施例では、操作部５６および規制溝３８ｃは、当該収納組３６に収納される遊技盤１０における表面が向く側に設けてある(図２参照)。
【００２７】
前記規制部材４６の操作部５６が突出する側とは反対側の側方で、対応する側の前記下レール３８の垂直辺３８ａと本体部５０との間に、図８(ｂ)に示す如く、前記取出し許容位置に変位させた状態の前記作動面５２より上方へ延出する板状の誘導部５８が設けられ、該誘導部５８に沿って遊技盤１０の一側面を誘導し得るよう構成される。この誘導部５８における規制部材４６を向く誘導面５８ａは、図４に示す如く、前記案内ローラ４２の胴部４２ａと一方のフランジ４２ｂとの接続部に前後方向(遊技盤１０の移動方向)で略整列するようにして位置している。また、誘導部５８は、図８(ａ)に示す如く、取出し規制位置の規制部材４６の作動面５２より外方へ延出しており、作動面５２に対して遊技盤１０の下端部を当接する際に、該遊技盤１０の対応する面(表面または裏面)を誘導部５８で支持して左右方向の位置を規制し得るようになっている。更に、誘導部５８は、規制部材４６が取出し規制位置と取出し許容位置との間を変位する間に亘って作動面５２より外方に延出した状態を維持し、遊技盤１０の対応する面を位置規制し続け得るよう構成される。なお、誘導部５８は、前記回転軸４８に自由回転自在に支持されると共に、底面を前記横材２２の上面に対して平行にした姿勢で該上面との間に隙間が画成されるよう構成され、誘導部５８は、誘導部５８における底面の一部(遊技盤１０の収納方向の前端または後端)が横材２２に当接する範囲で回転軸４８に対して回動し得るよう構成されている。また誘導部５８は、回転軸４８の枢支位置より前側(収納口３４側)に重心が位置するよう設定されて、常には前端が横材２２に当接した状態となっている。そして、後述する遊技盤１０の収納作業に際して、該遊技盤１０が誘導部５８に接触した際には、後端が横材２２に当たる範囲で誘導部５８が僅かに回動することで衝撃を緩和し、遊技盤１０の損傷を防止し得るよう構成されている。また誘導部５８の材質としては、摩擦抵抗の小さな合成樹脂、例えば自己潤滑性を有するポリアセタール(ＰＯＭ)等が好適に用いられる。
【００２８】
〔実施例の作用〕
次に、前述した実施例に係る遊技機構成物の収納装置の作用につき説明する。
【００２９】
前記収納装置１２では、図７(ａ)および図８(ａ)に示す如く、前記収納口３４に配設された規制部材４６は、作動面５２が外方を向いた傾斜姿勢となる取出し規制位置に位置している。遊技盤１０を収納位置に収納する際には、起立姿勢の遊技盤１０の下端部を作動面５２に当てた状態で収納位置側へ押圧することで、図７(ｂ)および図８(ｂ)に示す如く、規制部材４６が回転軸４８を中心として回動して取出し規制位置から取出し許容位置へ変位し、遊技盤１０の収納位置への収納が許容される。すなわち、規制部材４６を遊技盤１０で押圧するだけで、該遊技盤１０の収納位置への収納が許容されるので、収納作業は容易となる。また、前記上ガイド部３２では、上レール４０,４０における垂直辺４０ａ,４０ａの収納口側端部に、外方へ拡開する傾斜案内部４０ｃ,４０ｃを設けているので、遊技盤１０の上端部を両垂直辺３８ａ,３８ａ間に容易に導入することができ、収納時の作業性が向上する。更に、前記下ガイド部３０では、取出し許容位置の作動面５２より上方へ突出する誘導部５８が設けられると共に、該誘導部５８における規制部材側の誘導面５８ａは、案内ローラ４２の胴部４２ａと一方のフランジ４２ｂとの接続部に略整列するよう位置している。従って、遊技盤１０における誘導部５８と対向する面(表面または裏面)を誘導面５８ａに当接した状態で該遊技盤１０を収納位置に向けて移動することで、遊技盤１０を、下端部が前記案内ローラ４２の胴部４２ａに確実に乗る位置に案内することができ、収納作業が容易となる。また、前記遊技盤１０を規制部材４６の作動面５２に載置する際に、該遊技盤１０が誘導部５８に接触した場合は、該誘導部５８が変位(回動)することで衝撃を緩和して遊技盤１０の損傷を防止することができる。
【００３０】
ここで、収納装置１２における最上段の収納空間Ｓにおける収納組３６に遊技盤１０を収納する作業に際しては、作業者が持ち上げた遊技盤１０における収納位置側の下端面を、取出し規制位置で傾斜している作動面５２に一旦載置する。このとき、遊技盤１０は作業者側(手前側)が下がった傾斜姿勢となっており、該遊技盤１０の手前側を押し上げるのに伴って規制部材４６が取出し規制位置から取出し許容位置に変位し、前述したと同様に遊技盤１０の収納位置への収納が許容される。すなわち、作業者にとって比較的高い位置の収納空間Ｓの収納組３６への遊技盤１０の収納作業においては、取出し規制位置の作動面５２に一旦載置した遊技盤１０の手前側を押し上げるだけで収納が許容されるようになるので、作業者は、遊技盤１０を持ったままの状態で規制部材４６を別途操作する必要はなく、作業者の作業負担を軽減し得る。また前記誘導部５８は、取出し規制位置の作動面５２より外方に突出しているから、該作動面５２に一旦載置した遊技盤１０における誘導部５８に対向する面(表面または裏面)を誘導面５８ａに当てた状態で該遊技盤１０の手前側を押し上げれば、遊技盤１０の上端部は前記上ガイド部３２における垂直辺４０ａ,４０ａの間に入り込むので、収納作業は容易となる。
【００３１】
前記遊技盤１０の押圧によって取出し許容位置に変位した規制部材４６の作動面５２は略水平に延在し、遊技盤１０は該作動面上を摺動して収納位置に向けてスムーズに移動される。また、取出し許容位置の作動面５２は、図７(ｂ)および図８(ｂ)に示す如く、前記複数の案内ローラ４２で形成される案内面４４と略同一面に位置し、遊技盤１０の作動面５２から案内ローラ４２への移動は円滑になされる。なお、取出し規制位置から取出し許容位置に変位する規制部材４６の変位は、前記操作部５６が規制溝３８ｃの底部に当接することで位置規制され、作動面５２が略水平に延在する取出し許容位置に保持されるから、該規制部材４６が取出し許容位置を越えて変位することで案内面４４との間に段差が生ずることはなく、案内ローラ４２への移動に支障を来すことはない。収納位置に向けて移動する遊技盤１０は、複数の案内ローラ４２が転動して案内するので、摩擦力を軽減して該遊技盤１０のスムーズな移動を図り得ると共に、遊技盤１０の傷つきを防止できる。また、遊技盤１０の上端部は上ガイド部３２の垂直部４０ａ,４０ａで左右方向の移動が規制された状態で案内されると共に、遊技盤１０の下端部は下ガイド部３０に配設した案内ローラ４２のフランジ４２ｂ,４２ｂで左右方向の移動が規制されるので、遊技盤１０は収納位置に起立姿勢のまま確実に収納される。
【００３２】
前記遊技盤１０が取出し許容位置の規制部材４６の作動面５２から離間すると、図８(ｃ)に示す如く、該規制部材４６は自重によって取出し規制位置に自動で変位する。このように、規制部材４６は、作動面５２に対する遊技盤１０の押圧力から解放されると自重によって取出し規制位置に復帰するから、複雑な機構を備えることなく規制部材４６を簡単な構成とすることができる。また、規制部材４６を別途取出し規制位置に復帰させる操作を必要としないから、遊技盤１０の収納作業性が向上する。
【００３３】
前記取出し規制位置に変位した規制部材４６は、自重によって該取出し規制位置に保持されるから、収納装置１２を移動等するに際し、振動等が規制部材４６に作用したとしても、該規制部材４６が取出し許容位置に簡単には変位しないので、遊技盤１０の収納装置１２からの脱落は防止される。また、収納装置１２の移動等に際して収納位置の遊技盤１０が移動して取出し規制位置の規制部材４６における第２規制端部５０ｂに当接したとしても、該当接した際の力は、規制部材４６の第１規制端部５０ａを横材２２に押付ける方向に作用し、該規制部材４６を取出し許容位置に変位させるようには作用しないから、遊技盤１０の収納装置１２からの脱落を確実に防止し得る。
【００３４】
前記収納装置１２から遊技盤１０を取出す場合は、作業者が前記操作部５６を押し下げるように操作することで、規制部材４６は取出し規制位置から取出し許容位置へ強制的に変位され、遊技盤１０の収納位置からの取出しが可能となる。そして、収納位置から移動した遊技盤１０の下端部が規制部材４６の作動面５２に乗った以降に操作部５６を離せば、該遊技盤１０が収納装置１２から取出されて規制部材４６から離間したときに、該規制部材４６は自重によって取出し規制位置に自動で変位する。すなわち、作業者が規制部材４６を強制的に取出し規制位置に復帰させる必要はなく、遊技盤１０の取出し作業も容易となる。また、操作部５６の操作により規制部材４６を取出し規制位置から取出し許容位置に変位させた際に、操作部５６を規制溝３８ｃの底部に当接した位置に保持しておけば、規制部材４６は作動面５２が略水平に延在する取出し許容位置に保持されるから、作業者は、作動面５２が水平になっているか否かを確認しつつ遊技盤１０を取出す作業を行なう必要はなく、取出し作業性がよい。また、前記誘導部５８は、取出し許容位置の作動面５２から上方に突出しているから、該誘導部５８の誘導面５８ａに遊技盤１０の対向する面(表面または裏面)を当接させて案内することができ、遊技盤１０のスムーズな取出しを行ない得る。
【００３５】
実施例の収納装置１２では、前記収納組３６に起立姿勢で遊技盤１０を収納するよう構成したので、遊技盤１０の収納および取出しに際して該遊技盤１０の表面(盤面)に傷が付くのを抑制し得る。また、各収納組３６における前後に、収納口３４および規制部材４６を夫々設けているので、収納装置１２の前後何れの側からも遊技盤１０の出し入れを行なうことができ、利便性がよい。更に実施例では、収納装置１２における左端部に設けた収納組３６には左方に表面(盤面)を向けた姿勢で遊技盤１０を収納し、該収納装置１２における右端部に設けた収納組３６には右方に表面(盤面)を向けた姿勢で遊技盤１０を収納するよう構成してある。従って、収納装置１２に遊技盤１０を収納した状態で、該収納装置１２における左右側部で上下に離間する横材２２,２２の間から露出する遊技盤１０の盤面を視認することができ、当該遊技盤１０の種類の確認が容易である。また、収納装置１２の左右側部に設けた表示板２９に、遊技盤１０の種類を記載した表示標識を貼付可能であるので、該表示標識の記載事項と収納されている遊技盤１０の種類との照合を簡単に行ない得る。
【００３６】
(変更例)
本願は前述した実施例の構成に限定されるものではなく、その他の構成を適宜に採用することができる。
(1) 実施例では、遊技機構成物として遊技盤を挙げたが、中枠や前枠等、その他の各種構成物を対象とし得ると共に、遊技機(パチンコ機)全体であってもよい。
(2) 実施例では、規制部材を回転軸を介して軸支し、該回転軸から規制部材の重心を偏倚するように設定することで、規制部材を常には自重によって取出し規制位置に付勢する構成としたが、バネやゴム等の付勢手段により規制部材を取出し規制位置に付勢する構成を採用し得る。なお、付勢手段を用いる場合は、左右方向に対向する一方の垂直辺に、他方の垂直辺に向けて出没自在に規制部材を軸支する構成を採用することができる。
(3) 実施例では、規制部材を回動するよう構成したが、収納時に遊技機構成物が移動する移動領域に対して規制部材を直線的に出没する構成を採用し得る。
(4) 実施例では、下ガイド部に規制部材を配設したが、規制部材を上ガイド部に配設する構成を採用し得る。すなわち、この場合は、取出し規制位置にある状態で作動面が収納口から収納位置へ向かうにつれて下方傾斜するように規制部材を配設し、該規制部材を取出し規制位置から取出し許容位置に変位する際には操作部を持ち上げるようにして作動面が下向きで略水平となるよう構成すればよい。規制部材を上ガイド部に設ける場合においても、前記(2)で述べたように規制部材を取出し規制位置に向けて付勢する手段として、自重、バネやゴム等の付勢手段を採用し得る。
(5) 実施例では、下ガイド部にのみ案内ローラを配設したが、上ガイド部にも案内ローラを配設してもよい。また、下ガイド部を摩擦係数の小さな材料で形成すると共に、上ガイド部にのみ案内ローラを配設する構成を採用し得る。なお、案内ローラを配設しないガイド部における遊技機構成物との摺動面に、フェルト等の滑り性を有する摺動補助部材を貼付しておけば、遊技機構成物の傷つきをより防止することができる。
(6) 上下のガイド部自体を、滑り性のよい、例えば自己潤滑性を有するポリアセタール(ＰＯＭ)等の合成樹脂材で形成したり、または遊技機構成物との摺動面にフェルト等の滑り性を有する摺動補助部材を貼付することで、案内ローラを省略することも可能である。
(7) 実施例では、上下のガイド部の夫々を、一対の案内板で構成したが、例えばコ字状に形成した単一の部材で構成することもできる。
(8) 実施例では、収納装置に上下３段で収納空間を画成すると共に、各収納空間に５組の収納組を配設したが、収納空間の段数や収納組の配設数は、任意に設定することができる。また、１つの収納組に収納する遊技機構成物の数については、複数に限らず１つであってもよい。
(9) １つの収納組に複数の遊技機構成物を収納する場合においては、各遊技機構成物の収納位置での移動方向の前後に、取出し規制位置で第２規制端部が前後に対向する状態(実施例での本体前側の規制部材と後側の規制部材との関係)となる規制部材を夫々配設し、一対の規制部材間に位置する遊技機構成物の前後移動を規制した状態で収納位置に保持する構成を採用し得る。この構成によれば、収納装置の移動時に前後に隣り合う遊技機構成物同士の衝突を防止することができる。
【符号の説明】
【００３７】
１０  遊技盤(遊技機構成物)
１６  表遊技部品(遊技部品)
１８  裏遊技部品(遊技部品)
３０  下ガイド部
３２  上ガイド部
３４  収納口
３８ｃ  規制溝
４２  案内ローラ
４４  案内面
４６  規制部材
４８  回転軸
５２  作動面
５６  操作部
５８  誘導部
【図１】
0005660981.tif 000002
【図２】
0005660981.tif 000003
【図３】
0005660981.tif 000004
【図４】
0005660981.tif 000005
【図５】
0005660981.tif 000006
【図６】
0005660981.tif 000007
【図７】
0005660981.tif 000008
【図８】
0005660981.tif 000009